(57)【要約】【課題】画像フォルダ内に格納された一連の画像についてテーマの変化過程を一目で把握させる。【解決手段】画像表示装置１は、表示部１１と、画像のテーマと当該テーマを表現したテーマアイコンとを対応付けて複数記憶するアイコンデータテーブル１５３と、一連の複数の画像を格納した画像フォルダ１５２を記憶するＲＯＭ１５と、前記一連の複数の画像それぞれの画像テーマを検出するＣＰＵ１８とを備える。ＣＰＵ１８は、検出された画像テーマから、前記一連の複数の画像を区分した画像列ごとに、当該画像列の内容を代表する画像テーマを画像列代表テーマとして抽出し、抽出された複数の画像列代表テーマに対応する各テーマアイコンを、前記一連の複数の画像内での画像列の順に従って配置してフォルダアイコンを作成し、画像フォルダ１５２のフォルダアイコンとして表示させる。【選択図】図１
2012231550.tif 000002
【特許請求の範囲】
【請求項１】
表示手段と、
画像のテーマと、当該テーマを表現したテーマアイコンとを対応付けて複数記憶するテーマアイコン記憶手段と、
一連の複数の画像を格納した画像フォルダを記憶する画像記憶手段と、
前記一連の複数の画像それぞれの画像テーマを検出する画像テーマ検出手段と、
前記画像テーマ検出手段により検出された画像テーマから、前記一連の複数の画像を区分した画像列ごとに、当該画像列の内容を代表する画像テーマを画像列代表テーマとして抽出する代表テーマ抽出手段と、
前記代表テーマ抽出手段により抽出された複数の前記画像列代表テーマに対応する各テーマアイコンを、前記一連の複数の画像内での前記画像列の順に従って配置してフォルダアイコンを作成し、前記画像フォルダのフォルダアイコンとして前記表示手段に表示させるフォルダアイコン表示制御手段と、
を備えることを特徴とする画像表示装置。
【請求項２】
請求項１記載の画像表示装置において、
前記画像列に含まれる各画像と、当該画像列についての前記画像列代表テーマとを対応付けて記憶する画像列・テーマ記憶手段と、
前記フォルダアイコンに対するユーザ操作に基づいて、当該フォルダアイコンを前記表示手段に拡大表示させるとともに、このフォルダアイコンに含まれる各テーマアイコン上に、当該テーマアイコンに対応する前記画像列代表テーマに対応付けられた前記画像列の各画像をサムネイル表示させるサムネイル表示制御手段と、
を備えることを特徴とする画像表示装置。
【請求項３】
請求項２記載の画像表示装置において、
前記サムネイル表示制御手段は、
前記テーマアイコンに対応する前記画像列代表テーマに対応付けられた前記画像列の全ての画像が当該テーマアイコン上に表示されるように、各サムネイル画像の大きさを調整することを特徴とする画像表示装置。
【請求項４】
請求項１〜３の何れか一項に記載の画像表示装置において、
前記フォルダアイコン表示制御手段は、
前記代表テーマ抽出手段により抽出された複数の前記画像列代表テーマに対応する各テーマアイコンを、前記一連の複数の画像内での前記画像列の順に従って左から右に並べてフォルダアイコンを作成することを特徴とする画像表示装置。
【請求項５】
表示手段を備えるコンピュータに、
画像のテーマと、当該テーマを表現したテーマアイコンとを対応付けて複数記憶するテーマアイコン記憶機能と、
一連の複数の画像を格納した画像フォルダを記憶する画像記憶機能と、
前記一連の複数の画像それぞれの画像テーマを検出する画像テーマ検出機能と、
前記画像テーマ検出機能により検出された画像テーマから、前記一連の複数の画像を区分した画像列ごとに、当該画像列の内容を代表する画像テーマを画像列代表テーマとして抽出する代表テーマ抽出機能と、
前記代表テーマ抽出機能により抽出された複数の前記画像列代表テーマに対応する各テーマアイコンを、前記一連の複数の画像内での前記画像列の順に従って配置してフォルダアイコンを作成し、前記画像フォルダのフォルダアイコンとして前記表示手段に表示させるフォルダアイコン表示制御機能と、
を実現させることを特徴とするプログラム。
【発明の詳細な説明】
【技術分野】
【０００１】
本発明は、画像表示装置及びプログラムに関する。
【背景技術】
【０００２】
従来より、複数の画像データを取り込んで画像を表示する画像表示装置においては、複数の画像をいっぺんに表示する際に、画像をテーマ別に分類して表示することが可能となっている（例えば、特許文献１〜３参照）。より詳細には、例えば特許文献１に記載の技術では、様々なテーマを表すテーママークを用意しておき、撮影順などで配列された一連の画像を表示する場合に、一連の画像をテーマ別の画像列に区切り、画像列のテーマに対応するテーママークを各画像列の先頭に表示させるようになっている。また、特許文献２に記載の技術では、複数の画像をテーマ別に分類してツリー形式で表示するようになっている。
【先行技術文献】
【特許文献】
【０００３】
【特許文献１】特開２００３−７６６９３号公報
【特許文献２】特開１９９５−２９５８７号公報
【特許文献３】特開２００７−１８９３４０号公報
【発明の概要】
【発明が解決しようとする課題】
【０００４】
しかしながら、従来の技術では、テーママークを目で追って行ったり、ツリーによる分類を末端側へ追って行ったりしないと、画像フォルダ内の一連の画像についてテーマの変化過程を把握することはできない。
【０００５】
本発明の課題は、一連の画像についてテーマの変化過程を一目で把握することのできる画像表示装置及びプログラムを提供することである。
【課題を解決するための手段】
【０００６】
上記課題を解決するため、請求項１に記載の画像表示装置は、
表示手段と、
画像のテーマと、当該テーマを表現したテーマアイコンとを対応付けて複数記憶するテーマアイコン記憶手段と、
一連の複数の画像を格納した画像フォルダを記憶する画像記憶手段と、
前記一連の複数の画像それぞれの画像テーマを検出する画像テーマ検出手段と、
前記画像テーマ検出手段により検出された画像テーマから、前記一連の複数の画像を区分した画像列ごとに、当該画像列の内容を代表する画像テーマを画像列代表テーマとして抽出する代表テーマ抽出手段と、
前記代表テーマ抽出手段により抽出された複数の前記画像列代表テーマに対応する各テーマアイコンを、前記一連の複数の画像内での前記画像列の順に従って配置してフォルダアイコンを作成し、前記画像フォルダのフォルダアイコンとして前記表示手段に表示させるフォルダアイコン表示制御手段と、
を備えることを特徴とする。
【０００７】
請求項２記載の発明は、請求項１記載の画像表示装置において、
前記画像列に含まれる各画像と、当該画像列についての前記画像列代表テーマとを対応付けて記憶する画像列・テーマ記憶手段と、
前記フォルダアイコンに対するユーザ操作に基づいて、当該フォルダアイコンを前記表示手段に拡大表示させるとともに、このフォルダアイコンに含まれる各テーマアイコン上に、当該テーマアイコンに対応する前記画像列代表テーマに対応付けられた前記画像列の各画像をサムネイル表示させるサムネイル表示制御手段と、
を備えることを特徴とする。
【０００８】
請求項３記載の発明は、請求項２記載の画像表示装置において、
前記サムネイル表示制御手段は、
前記テーマアイコンに対応する前記画像列代表テーマに対応付けられた前記画像列の全ての画像が当該テーマアイコン上に表示されるように、各サムネイル画像の大きさを調整することを特徴とする。
【０００９】
請求項４記載の発明は、請求項１〜３の何れか一項に記載の画像表示装置において、
前記フォルダアイコン表示制御手段は、
前記代表テーマ抽出手段により抽出された複数の前記画像列代表テーマに対応する各テーマアイコンを、前記一連の複数の画像内での前記画像列の順に従って左から右に並べてフォルダアイコンを作成することを特徴とする。
【００１０】
請求項５記載の発明は、プログラムにおいて、
表示手段を備えるコンピュータに、
画像のテーマと、当該テーマを表現したテーマアイコンとを対応付けて複数記憶するテーマアイコン記憶機能と、
一連の複数の画像を格納した画像フォルダを記憶する画像記憶機能と、
前記一連の複数の画像それぞれの画像テーマを検出する画像テーマ検出機能と、
前記画像テーマ検出機能により検出された画像テーマから、前記一連の複数の画像を区分した画像列ごとに、当該画像列の内容を代表する画像テーマを画像列代表テーマとして抽出する代表テーマ抽出機能と、
前記代表テーマ抽出機能により抽出された複数の前記画像列代表テーマに対応する各テーマアイコンを、前記一連の複数の画像内での前記画像列の順に従って配置してフォルダアイコンを作成し、前記画像フォルダのフォルダアイコンとして前記表示手段に表示させるフォルダアイコン表示制御機能と、
を実現させることを特徴とする。
【発明の効果】
【００１１】
本発明によれば、一連の複数の画像それぞれの画像テーマが検出されて、検出された画像テーマから、前記一連の複数の画像を区分した画像列ごとに、当該画像列の内容を代表する画像テーマが画像列代表テーマとして抽出され、抽出された複数の画像列代表テーマに対応する各テーマアイコンが画像列の順に従って配置されてフォルダアイコンが作成され、画像フォルダのフォルダアイコンとして表示されるので、画像フォルダ内に格納された一連の画像についてテーマの変化過程を一目で把握することができる。
【図面の簡単な説明】
【００１２】
【図１】画像表示装置の概略構成を示すブロック図である。
【図２】画像表示装置の概略構成を示す図である。
【図３】画像フォルダのデータ構造を示す図である。
【図４】アイコンデータテーブルのデータ構造を示す図である。
【図５】画像・テーマ対応テーブルのデータ構造を示す図である。
【図６】画像・テーマ対応テーブルのデータ構造を示す図である。
【図７】画像表示処理の流れを示すフローチャートである。
【図８】フォルダアイコン作成処理の流れを示すフローチャートである。
【図９】フォルダアイコンの拡大表示処理の流れを示すフローチャートである。
【図１０】表示部の表示内容を示す図である。
【図１１】表示部の表示内容を示す図である。
【図１２】表示部の表示内容を示す図である。
【図１３】表示部の表示内容を示す図である。
【図１４】表示部の表示内容を示す図である。
【図１５】表示部の表示内容を示す図である。
【図１６】表示部の表示内容を示す図である。
【図１７】表示部の表示内容を示す図である。
【図１８】アイコンデータテーブルの変形例のデータ構造を示す図である。
【発明を実施するための形態】
【００１３】
以下、添付図面を参照して本発明に係る実施の形態の一例を詳細に説明する。ただし、発明の範囲は、図示例に限定されない。
【００１４】
［構成］
図１は、本発明を適用した画像表示装置１の概略構成を示すブロック図である。なお、本実施形態の画像表示装置１は、例えば図２に示すように、卓上に設置されるデジタルフォトフレーム等であり、外部機器（例えばデジタルカメラ）等から画像データを取得し、取得した画像データに基づく表示を行うようになっている。
【００１５】
具体的には、画像表示装置１は、図１に示すように、表示部１１と、入力部１２と、通信部１３と、記憶媒体読取部１４と、ＲＯＭ１５と、ＲＡＭ１６と、ＣＰＵ１８等とを備えて構成されている。
【００１６】
表示部１１は、液晶ディスプレイ（ＬＣＤ）や有機エレクトロルミネッセンス（Electro-Luminescence：ＥＬ）ディスプレイ等からなり、ＣＰＵ１８からの表示信号に従って各種情報、例えば後述の画像フォルダ１５２のフォルダアイコンＦ（図１０（ａ）参照）等を表示するようになっている。なお、本実施の形態における表示部１１のディスプレイには、タッチパネル１２０が表示画面全面に亘って一体的に設けられている。
【００１７】
入力部１２は、上述のタッチパネル１２０と、リモコン１２１とを備えており、ユーザ操作に対応する操作信号をＣＰＵ１８に出力するようになっている。なお、リモコン１２１には、例えば、画像フォルダの選択や画像の送り操作等を行うためのカーソルキー、決定・確定操作を行うための決定キー、直前の表示状態に処理を戻すための戻るキーなどが備えられている。
【００１８】
通信部１３は、パソコンやカメラなど、他の電子機器との間でデータ通信を行うものであり、本実施の形態においては、ＲＯＭ１５内の情報を送受信できるようになっている。また、この通信部５０は、インターネットに接続可能となっており、これにより、インターネットに接続される外部機器との通信が可能となっている。なお、通信方式は無線であっても良いし、有線であっても良い。
【００１９】
記憶媒体読取部１４は、カードスロット１４０を備えており、当該カードスロット１４０に装着された外部情報記憶媒体１４ａから情報を読み出したり、当該外部情報記憶媒体１４ａに情報を記録したりするようになっている。なお、この外部情報記憶媒体１４ａには、ＲＯＭ１５やＲＡＭ１６内の情報を記録できるようになっている。
【００２０】
ＲＯＭ１５は、画像表示装置１の各種機能を実現するためのプログラムやデータを記憶するメモリである。本実施の形態においては、ＲＯＭ１５は、本発明に係る画像表示プログラム１５０と、画像フォルダ群１５１と、アイコンデータテーブル１５３と、画像・テーマ対応テーブル１５４等とを記憶している。
【００２１】
画像表示プログラム１５０は、後述の画像表示処理（図７〜図９参照）をＣＰＵ１８に実行させるためのプログラムである。
【００２２】
画像フォルダ群１５１は、複数の画像フォルダ１５２を有している。各画像フォルダ１５２には、図３に示すように、一連の複数の画像についての画像データが格納されている。なお、画像フォルダ１５２内の各画像データには、作成日時（撮影日時）が対応付けられている。
【００２３】
アイコンデータテーブル１５３は、図４に示すように、画像で表現され得る複数種類の各画像テーマについて、テーマ名と、当該テーマを表現したテーマアイコンＩとを対応付けて記憶している。また、このアイコンデータテーブル１５３は、本実施の形態においては、画像テーマごとに、当該テーマを表す一般的な画像（以下、典型画像とする）ＴＧを複数種類記憶している。また、このアイコンデータテーブル１５３は、各テーマアイコンＩについて、当該テーマアイコンＩが画像フォルダ１５２のフォルダアイコンＦ内に組み込まれる場合での上下方向の配置位置を記憶している。
【００２４】
画像・テーマ対応テーブル１５４は、画像フォルダ１５２ごとに設けられており、図５，図６に示すように、該当する画像フォルダ１５２内の各画像に対応付けて、当該画像のテーマを１つ以上、３つまで記憶するようになっている。また、この画像・テーマ対応テーブル１５４では、格納された画像を分割して得られる各画像列Ｌに対し、当該画像列Ｌの内容を代表する画像テーマ（以下、画像列代表テーマとする）を対応付けて記憶するようになっている。更に、この画像・テーマ対応テーブル１５４では、画像列Ｌ内の各画像に対応付けて、当該画像の画像テーマと、画像列代表テーマとが合致するか否かが記憶されるようになっている。
【００２５】
ＲＡＭ１６は、ＣＰＵ１８が実行する各種プログラムや、これらプログラムの実行に係るデータ等を一時的に保持するメモリ領域を備えている。
【００２６】
ＣＰＵ１８は、入力される指示に応じて所定のプログラムに基づいた処理を実行し、各機能部への指示やデータの転送等を行い、画像表示装置１を統括的に制御するようになっている。具体的には、ＣＰＵ１８は、入力部１２から入力される操作信号等に応じてＲＯＭ１５に格納された各種プログラムを読み出し、当該プログラムに従って処理を実行する。そして、ＣＰＵ１８は、処理結果をＲＡＭ１６に保存するとともに、当該処理結果を表示部１１に適宜出力させる。
【００２７】
［動作］
続いて、画像表示装置１による画像表示処理について、図７〜図９を参照しつつ説明する。
【００２８】
この画像表示処理においては、図７に示すように、まずＣＰＵ１８は、通信部１３を介して新規の画像フォルダ１５２（以下、画像フォルダ１５２Ｎとする）が入力されるか否かを判定し（ステップＳ１）、入力されないと判定した場合（ステップＳ１；Ｎｏ）には、後述のステップＳ３に移行する。
【００２９】
また、ステップＳ１において新規の画像フォルダ１５２Ｎが入力されたと判定した場合（ステップＳ１；Ｙｅｓ）には、ＣＰＵ１８は、当該画像フォルダ１５２ＮをＲＯＭ１５の画像フォルダ群１５１に記憶させた後、フォルダアイコン作成処理を行う（ステップＳ２）。
【００３０】
具体的には、図８に示すように、このフォルダアイコン作成処理においてまずＣＰＵ１８は、新規に入力された画像フォルダ１５２Ｎについて、データの格納されていない新規な画像・テーマ対応テーブル１５４（以下、画像・テーマ対応テーブル１５４Ｎとする）を作成するとともに、画像フォルダ１５２Ｎ内の各画像データを時間順（本実施の形態においては作成日時の古い順）にソートして、画像・テーマ対応テーブル１５４Ｎに記憶させる（ステップＴ１）。
【００３１】
次に、ＣＰＵ１８は、画像フォルダ１５２Ｎ内の各画像データを順に処理対象として指定した上で、処理対象の画像データの画像（以下、処理対象の画像とする）とアイコンデータテーブル１５３内の各典型画像ＴＧとを比較して、処理対象の画像に類似する典型画像ＴＧをアイコンデータテーブル１５３内で検索し、検出された各典型画像ＴＧの画像テーマのうち、検出数の最も多い３種類の画像テーマを処理対象の画像の画像テーマとして画像・テーマ対応テーブル１５４Ｎに記憶させる（ステップＴ２）。なお、処理対象の画像と典型画像ＴＧとの類比判断には、従来より公知の画像マッチング技術を用いることができる。
【００３２】
次に、ＣＰＵ１８は、画像・テーマ対応テーブル１５４Ｎ内の一連の画像を、３つの画像列Ｌに区分するとともに、これらの画像列Ｌごとに、画像・テーマ対応テーブル１５４Ｎ内で各画像に対応付けられた複数の画像テーマから、当該画像列Ｌの内容を代表する画像テーマを抽出し、画像列代表テーマとして画像列Ｌに対応付けて画像・テーマ対応テーブル１５４Ｎに記憶させる（ステップＴ３）。
【００３３】
次に、ＣＰＵ１８は、各画像列Ｌにおける各画像の画像テーマと、画像列代表テーマとが合致するか否かを判定し、合致する場合には「○」を、合致しない場合には「×」を当該画像に対応付けて画像・テーマ対応テーブル１５４Ｎに記憶させる（ステップＴ４）。
【００３４】
次に、ＣＰＵ１８は、画像フォルダ１５２ＮのフォルダアイコンＦを作成するために、まずデフォルトでＲＯＭ１５に記憶された無地のフォルダアイコン上に、３つの画像列代表テーマに対応する各テーマアイコンＩを配置する（ステップＴ５）。より詳細には、このときＣＰＵ１８は、画像・テーマ対応テーブル１５４Ｎ内での画像列Ｌの順（画像列代表テーマの順）に従って３つのテーマアイコンＩを左から右に並べて配置する。また、好ましくは、このときＣＰＵ１８は、各画像列Ｌ内の各画像データの作成日時を参照し、古い画像列ＬのテーマアイコンＩほど左側に、新しい画像列ＬのテーマアイコンＩほど右側に位置するよう、各テーマアイコンＩを配置する。
【００３５】
次に、ＣＰＵ１８は、フォルダアイコンＦ上に配置された各テーマアイコンＩを、当該テーマアイコンＩについてアイコンデータテーブル１５３に記憶された上下方向での配置位置に基づいて上下にずらし、フォルダアイコンＦの作成を完了する（ステップＴ６）。また、好ましくは、このときＣＰＵ１８は、３つのテーマアイコンＩが互いに重なり合わないよう、各テーマアイコンＩの位置を微調整する。
【００３６】
次に、ＣＰＵ１８は、作成されたフォルダアイコンＦを画像フォルダ１５２Ｎのフォルダアイコンとして登録し（ステップＴ７）、フォルダアイコン作成処理を終了する。
【００３７】
以上のフォルダアイコン作成処理が終了したら、図７に示すように、次にＣＰＵ１８は、画像フォルダ群１５１内の各画像フォルダ１５２についてのフォルダアイコンＦを表示部１１に一覧表示させる（ステップＳ３）。
【００３８】
次に、ＣＰＵ１８は、何れかのフォルダアイコンＦがユーザにより選択されるか否かを判定し（ステップＳ４）、選択されないと判定した場合（ステップＳ４；Ｎｏ）には、他の処理へ移行する。
【００３９】
また、ステップＳ４において何れかのフォルダアイコンＦが選択されたと判定した場合（ステップＳ４；Ｙｅｓ）には、ＣＰＵ１８は、フォルダアイコンＦの拡大表示処理を行う（ステップＳ５）。
【００４０】
具体的には、図９に示すように、この拡大表示処理においてまずＣＰＵ１８は、選択されたフォルダアイコンＦ（以下、選択フォルダアイコンＦＳとする）を表示部１１に拡大表示させる（ステップＵ１）。これにより、選択フォルダアイコンＦＳ上の各テーマアイコンＩも拡大表示されることとなる。
【００４１】
次に、ＣＰＵ１８は、選択フォルダアイコンＦＳに対応する画像フォルダ１５２についての画像・テーマ対応テーブル１５４を参照して、選択フォルダアイコンＦＳ上の各テーマアイコンＩに対応する画像列代表テーマに対応付けられた画像列Ｌ（各テーマアイコンＩのテーマを画像列代表テーマとする画像列Ｌ）を検出し、拡大された各テーマアイコンＩ上に、対応する画像列Ｌ内の各画像をサムネイル表示させる（ステップＵ２）。より詳細には、このときＣＰＵ１８は、各画像を作成日時の古い順に左から右に並べるとともに、作成日時が極めて近い画像を上下に並べて表示させる。また、このときＣＰＵ１８は、画像列Ｌ内の全ての画像がテーマアイコンＩ上にいっぺんに表示されるよう、各サムネイル画像の大きさを調整する。
【００４２】
次に、ＣＰＵ１８は、テーマアイコンＩ上に表示された各サムネイル画像のうち、画像・テーマ対応テーブル１５４において画像列代表テーマに合致しない旨の記憶された画像を識別表示し（ステップＵ３）、拡大表示処理を終了する。なお、本実施の形態においては、このステップＵ３においてＣＰＵ１８は、画像列代表テーマに合致しないサムネイル画像に「×」マークを付けることで当該サムネイル画像を識別表示することとして説明するが、特定色の枠で囲む等、他の態様で識別表示することとしても良い。
【００４３】
以上のフォルダアイコンの拡大表示処理が終了したら、図７に示すように、次にＣＰＵ１８は、拡大表示された選択フォルダアイコンＦＳ上の何れかのサムネイル画像がユーザ操作によって指定されるか否かを判定し（ステップＳ６）、指定されないと判定した場合（ステップＳ６；Ｎｏ）には、他の処理へ移行する。なお、本実施の形態においては、例えばタッチ操作によってサムネイル画像を指定することができる。
【００４４】
また、ステップＳ６において何れかのサムネイル画像が指定されたと判定した場合（ステップＳ６；Ｙｅｓ）には、ＣＰＵ１８は、指定されたサムネイル画像を他のサムネイル画像と重ならない位置で拡大表示させる（ステップＳ７）。但し、このステップＳ７においてＣＰＵ１８は、サムネイル画像を標準サイズ（本実施の形態においては全画面表示されるサイズ）よりも小さいサイズで表示するようになっている。
【００４５】
次にＣＰＵ１８は、拡大表示された選択フォルダアイコンＦＳ上の何れかのサムネイル画像がユーザ操作によって選択されるか否かを判定し（ステップＳ８）、選択されないと判定した場合（ステップＳ８；Ｎｏ）には、他の処理へ移行する。なお、本実施の形態においては、例えばダブルタップ操作によってサムネイル画像を選択することができる。
【００４６】
また、ステップＳ８において何れかのサムネイル画像が選択されたと判定した場合（ステップＳ８；Ｙｅｓ）には、ＣＰＵ１８は、選択されたサムネイル画像を標準のサイズ（本実施の形態においては全画面表示のサイズ）に拡大して表示させる（ステップＳ９）。
【００４７】
次に、ＣＰＵ１８は、直前の表示状態に処理を戻すための戻る操作が行われるか否かを判定し（ステップＳ１０）、行われたと判定した場合（ステップＳ１０；Ｙｅｓ）には、上述のステップＳ６に移行する。
【００４８】
また、ステップＳ１０において戻る操作が行われないと判定した場合（ステップＳ１０；Ｎｏ）には、ＣＰＵ１８は、選択フォルダアイコンＦＳを閉じる旨の操作が行われるか否かを判定し（ステップＳ１１）、行われたと判定した場合（ステップＳ１１；Ｙｅｓ）には、上述のステップＳ３に移行する。
【００４９】
また、ステップＳ１１において選択フォルダアイコンＦＳを閉じる旨の操作が行われないと判定した場合（ステップＳ１１；Ｎｏ）には、ＣＰＵ１８は、終了操作が行われるか否かを判定する（ステップＳ１２）。
【００５０】
そして、このステップＳ１２において終了操作が行われないと判定した場合（ステップＳ１２；Ｎｏ）には、ＣＰＵ１８は他の処理へ移行し、行われたと判定した場合（ステップＳ１２；Ｙｅｓ）には、画像表示処理を終了する。
【００５１】
（画像表示処理の動作例）
続いて、図１０〜図１７を参照しつつ、上記の画像表示処理を具体的に説明する。
【００５２】
＜動作例（１）＞
まず、図３の上側に示す画像フォルダ１５２が入力されると（ステップＳ１；Ｙｅｓ）、図５に示すように、新規な画像・テーマ対応テーブル１５４が作成され、画像フォルダ１５２内の各画像データが作成日時の古い順にソートされて、画像・テーマ対応テーブル１５４に記憶される（ステップＴ１）。
【００５３】
次に、画像フォルダ１５２内の各画像データが順に処理対象として指定された上で、処理対象の画像とアイコンデータテーブル１５３内の各典型画像ＴＧとが比較され、処理対象の画像に類似する典型画像ＴＧがアイコンデータテーブル１５３内で検索され、検出された各典型画像ＴＧの画像テーマのうち、検出数の最も多い３種類の画像テーマが処理対象の画像の画像テーマとして画像・テーマ対応テーブル１５４Ｎに記憶される（ステップＴ２）。
【００５４】
次に、画像・テーマ対応テーブル１５４Ｎ内の一連の画像が３つの画像列Ｌに区分され、これらの画像列Ｌごとに、画像・テーマ対応テーブル１５４Ｎ内で各画像に対応付けられた複数の画像テーマから、当該画像列Ｌの内容を代表する画像テーマ「船」，「島」，「魚」が抽出され、画像列代表テーマとして画像列Ｌに対応付けられて画像・テーマ対応テーブル１５４Ｎに記憶される（ステップＴ３）。
【００５５】
次に、各画像列Ｌにおける各画像の画像テーマと、画像列代表テーマとが合致するか否かが判定され、合致する場合には「○」が、合致しない場合には「×」が、当該画像に対応付けられて画像・テーマ対応テーブル１５４Ｎに記憶される（ステップＴ４）。
【００５６】
次に、図１０（ａ）における左上部分に示すように、無地のフォルダアイコン上に、３つの画像列代表テーマ「船」，「島」，「魚」に対応する各テーマアイコンＩが左から右に並べられて配置されるとともに（ステップＴ５）、アイコンデータテーブル１５３に記憶された上下方向での配置位置に基づいて各テーマアイコンＩが上下にずらされ、フォルダアイコンＦの作成が完了し（ステップＴ６）、表示部１１に表示される（ステップＳ３）。
【００５７】
同様に、図３の下側に示す画像フォルダ１５２が入力されると（ステップＳ１；Ｙｅｓ）、図６に示すように画像・テーマ対応テーブル１５４が作成された後、図１０（ａ）における左上部分に示すように、３つの画像列代表テーマ「バス」，「上海蟹」，「湖」に対応する各テーマアイコンＩが配置されたフォルダアイコンＦが作成され（ステップＴ６）、表示部１１に表示される（ステップＳ３）。
【００５８】
次に、図１０（ａ）における上側のフォルダアイコンＦをユーザが選択すると（ステップＳ４；Ｙｅｓ）、図１０（ｂ）に示すように、選択フォルダアイコンＦＳが拡大表示される（ステップＵ１）。これにより、選択フォルダアイコンＦＳ上の各テーマアイコンＩも拡大表示される。
【００５９】
次に、選択フォルダアイコンＦＳに対応する画像フォルダ１５２（図３の上側の画像フォルダ）についての画像・テーマ対応テーブル１５４（図５の画像・テーマ対応テーブル）が参照されて、選択フォルダアイコンＦＳ上の各テーマアイコンＩ（「船」，「島」，「魚」）に対応する画像列Ｌが検出され、拡大された各テーマアイコンＩ上に、対応する画像列Ｌ内の画像がサムネイル表示される（ステップＵ２）。また、テーマアイコンＩ上に表示された各サムネイル画像のうち、画像・テーマ対応テーブル１５４において画像列代表テーマに合致しない旨の記憶された画像が「×」マークで識別表示される（ステップＵ３）。なお、図１０（ｂ）や、後述の図１１（ａ）等では、一部のサムネイル画像については、図示を簡略化している。
【００６０】
次に、図１０（ｂ）において矢印記号で示すサムネイル画像をユーザがタッチ操作によって指定すると（ステップＳ６；Ｙｅｓ）、図１０（ｂ）の左上部分に示すように、指定されたサムネイル画像が他のサムネイル画像と重ならない位置で拡大表示される（ステップＳ７）。
【００６１】
次に、図１０（ｂ）において矢印記号で示すサムネイル画像をユーザがダブルタップ操作によって選択すると（ステップＳ８）、図１０（ｃ）に示すように、選択されたサムネイル画像が全画面表示される（ステップＳ９）。
【００６２】
次に、ユーザが戻る操作を行った後（ステップＳ１０；Ｙｅｓ）、図１１（ａ）において矢印記号で示すサムネイル画像をユーザがタッチ操作によって指定すると（ステップＳ６；Ｙｅｓ）、図中の左上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１１（ｂ）に示すように、選択されたサムネイル画像が全画面表示される（ステップＳ９）。
【００６３】
次に、ユーザが戻る操作を行った後（ステップＳ１０；Ｙｅｓ）、図１２（ａ）において矢印記号で示すサムネイル画像をユーザがタッチ操作によって指定すると（ステップＳ６；Ｙｅｓ）、図中の右上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１２（ｂ）に示すように、選択されたサムネイル画像が全画面表示される（ステップＳ９）。
【００６４】
次に、選択フォルダアイコンＦＳを閉じる旨の操作をユーザが行うと（ステップＳ１１；Ｙｅｓ）、図１３（ａ）に示すように、各画像フォルダ１５２のフォルダアイコンＦが表示部１１に一覧表示される（ステップＳ３）。
【００６５】
次に、図１３（ａ）における下側のフォルダアイコンＦをユーザが選択すると（ステップＳ４；Ｙｅｓ）、図１３（ｂ）に示すように、選択フォルダアイコンＦＳが拡大表示される（ステップＵ１）。これにより、選択フォルダアイコンＦＳ上の各テーマアイコンＩも拡大表示される。
【００６６】
次に、選択フォルダアイコンＦＳに対応する画像フォルダ１５２（図３の下側の画像フォルダ）についての画像・テーマ対応テーブル１５４（図６の画像・テーマ対応テーブル）が参照されて、選択フォルダアイコンＦＳ上の各テーマアイコンＩ（「バス」，「上海蟹」，「湖」）に対応する画像列Ｌが検出され、拡大された各テーマアイコンＩ上に、対応する画像列Ｌ内の画像がサムネイル表示される（ステップＵ２）。また、テーマアイコンＩ上に表示された各サムネイル画像のうち、画像・テーマ対応テーブル１５４において画像列代表テーマに合致しない旨の記憶された画像が「×」マークで識別表示される（ステップＵ３）。
【００６７】
次に、図１３（ｂ）において矢印記号で示すサムネイル画像をユーザがタッチ操作によって指定すると（ステップＳ６；Ｙｅｓ）、図１３（ｂ）の左上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１３（ｃ）に示すように、選択されたサムネイル画像が全画面表示される（ステップＳ９）。
【００６８】
次に、ユーザが戻る操作を行った後（ステップＳ１０；Ｙｅｓ）、図１４（ａ）において矢印記号で示すサムネイル画像をユーザがタッチ操作によって指定すると（ステップＳ６；Ｙｅｓ）、図中の右上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１４（ｂ）に示すように、選択されたサムネイル画像が全画面表示される（ステップＳ９）。
【００６９】
次に、ユーザが戻る操作を行った後（ステップＳ１０；Ｙｅｓ）、図１５（ａ）において矢印記号で示すサムネイル画像をユーザがタッチ操作によって指定すると（ステップＳ６；Ｙｅｓ）、図中の右上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１５（ｂ）に示すように、選択されたサムネイル画像が全画面表示される（ステップＳ９）。
【００７０】
次に、ユーザが戻る操作を行った後（ステップＳ１０；Ｙｅｓ）、図１６（ａ）において矢印記号で示すサムネイル画像をユーザがタッチ操作によって指定すると（ステップＳ６；Ｙｅｓ）、図中の右上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１６（ｂ）に示すように、選択されたサムネイル画像が全画面表示される（ステップＳ９）。
【００７１】
次に、ユーザが戻る操作を行った後（ステップＳ１０；Ｙｅｓ）、図１７（ａ）において矢印記号で示すサムネイル画像をユーザがタッチ操作によって指定すると（ステップＳ６；Ｙｅｓ）、図中の右上部分に示すように、指定されたサムネイル画像が他のサムネイル画像と重ならない位置で拡大表示される（ステップＳ７）。さらに、同じサムネイル画像をユーザがダブルタップ操作によって選択すると（ステップＳ８）、図１７（ｂ）に示すように、選択されたサムネイル画像が全画面表示される（ステップＳ９）。
【００７２】
以上のように、本実施形態の画像表示装置１によれば、図５，図６や、図８、図１０〜図１７等に示したように、一連の複数の画像それぞれの画像テーマが検出されて、検出された画像テーマから、当該一連の複数の画像を区分した画像列Ｌごとに、画像列Ｌの内容を代表する画像テーマが画像列代表テーマとして抽出され、抽出された複数の画像列代表テーマに対応する各テーマアイコンＩが画像列Ｌの順に従って配置されてフォルダアイコンＦが作成され、画像フォルダ１５２のフォルダアイコンＦとして表示されるので、画像フォルダ１５２内に格納された一連の画像についてテーマの変化過程を一目で把握することができる。
【００７３】
また、図９のステップＵ１〜Ｕ２や、図１０（ｂ）等に示したように、フォルダアイコンＦに対するユーザ操作に基づいて、当該フォルダアイコンＦが拡大表示されるとともに、当該フォルダアイコンＦに含まれる各テーマアイコンＩ上に、当該テーマアイコンＩに対応する画像列代表テーマに対応付けられた画像列Ｌの各画像がサムネイル表示されるので、画像フォルダ１５２内に格納された画像の内容を容易に把握することができる。
【００７４】
また、図９のステップＵ２や図１０（ｂ）等に示したように、テーマアイコンＩに対応する画像列代表テーマに対応付けられた画像列Ｌの全ての画像が当該テーマアイコンＩ上に表示されるように、各サムネイル画像の大きさが調整されるので、画像フォルダ１５２内に格納された画像の内容を確実に把握することができる。
【００７５】
なお、上記の実施の形態における画像表示装置１の各構成要素の細部構成及び細部動作に関しては、本発明の趣旨を逸脱しない範囲で適宜変更可能であることは勿論である。
【００７６】
例えば、本発明に係る画像表示装置をフォトフレーム等として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る画像表示プログラム１５０は、画像表示装置１に対して着脱可能なメモリカード、ＣＤ等に記憶されることとしてもよい。
【００７７】
また、アイコンデータテーブル１５３はテーマ名とテーマアイコンＩと典型画像ＴＧとを対応付けて記憶することとして説明したが、図１８に示すように、テーマ名と、テーマアイコンＩと、テーマ名に関連するキーワードとを対応付けて記憶することとしても良い。この場合には、上述のステップＴ２においてＣＰＵ１８は、各キーワードを用いてインターネット上で画像を検索し、検出された画像を典型画像ＴＧとして使用する。
【符号の説明】
【００７８】
１      画像表示装置
１１          表示部
１２          入力部
１５          ＲＯＭ
１６          ＲＡＭ
１８          ＣＰＵ
１５０        画像表示プログラム
【図１】
2012231550.tif 000003
【図２】
2012231550.tif 000004
【図３】
2012231550.tif 000005
【図４】
2012231550.tif 000006
【図５】
2012231550.tif 000007
【図６】
2012231550.tif 000008
【図７】
2012231550.tif 000009
【図８】
2012231550.tif 000010
【図９】
2012231550.tif 000011
【図１０】
2012231550.tif 000012
【図１１】
2012231550.tif 000013
【図１２】
2012231550.tif 000014
【図１３】
2012231550.tif 000015
【図１４】
2012231550.tif 000016
【図１５】
2012231550.tif 000017
【図１６】
2012231550.tif 000018
【図１７】
2012231550.tif 000019
【図１８】
2012231550.tif 000020